(57)【要約】【課題】赤ちゃんをソファーと椅子両方で安全に座らせておく事の出来る安全ベルト、または安全ベルト付きのクッションを提供する。【解決手段】ソファー脚に、（２）のベルトを（５）留め具を使って巻き付け、（１）の安全ベルト、または、安全ベルト付きのクッションが後ろから前に垂れ下がる状態で固定する事でソファーに赤ちゃんを安全に座らせておくことを可能にする。また、請求項１の場合は、留め具（３）と（４）を取り外して、マジックテープ付きのベルト（６）で椅子の背もたれに巻き付けて使用する椅子ベルトとして、また請求項２の場合は（３）、（４）の留め具は外さず、（６）のベルトで椅子の背もたれ部に巻き付けると伴に、留め具（５）と（８）を合わせる事で、椅子にも取り付ける事が出来る様にしたソファー、椅子両方での使用を可能にした事を特徴とする。【選択図】  図１
2004267700.tif 000002
【特許請求の範囲】
【請求項１】
ソファーの両脚に、（５）の留め具により巻き付ける事が出来るようにした長さ調節のできるベルト（２）を取り付け、赤ちゃんの転落を防ぐ安全ベルト（１）が付いたものを、後から前に垂れ下がるように固定し、赤ちゃんを安全に座らせておく事が出来るようにしたソファー用安全ベルトである。また（３），（４）留め具を取り外すにより（６）のマジックテープにより椅子にも使える様になっているベルト部が取り外し可能になるようにする事でソファー、椅子両方で使用する事が出来る赤ちゃん用安全ベルトである。またソファーで使用する際は、斜めに延びてくるベルトを真っ直ぐにするため、平行してベルトが通るように作られた（７）を付け見た目をきれいに整える
【請求項２】
請求項１同様ソファーの脚にベルトを付け、安全ベルトの付いたクッションのシートが、後から前に垂れ下がる様にして固定しソファーで赤ちゃんを安全に座らせておける様にしたソファー用の安全ベルト付きクッションである。またクッションの背中部分にあたる所には（６）のマジックテープの付いたベルト、クッション前方の裏面には、留め具（５）と合わせる事の出来る（８）の留め具が付いていて両方を留め合わせる事で、椅子にも取り付ける事が出来る様になっている。またクッツション裏面は滑り止めがついている。
【発明の詳細な説明】
【０００１】
【発明の属する技術分野】
この発明はソファー、椅子両方で使用する事が出来る、赤ちゃん用の安全ベルト、または安全ベルト付きのクッションに関するものである。
【０００２】
【従来の技術】
ソファーで赤ちゃんを安全に座らせておけるものはなかったので、座らせる際転落の恐れがあり危険であった。また椅子でしか使用出来るものしかなかった。
【０００３】
【発明が解決しようとする課題】
これには次のような欠点があった。
イ  赤ちゃんをソファーに座らせるのは、転落の恐れがあり危険であった。
ロ  椅子に取り付ける物はそれでしか使えなかっつた。
本発明は、以上の欠点を解決するためになされたものである。
【０００４】
【課題を解決するための手段】
請求項１，２同様ソファーで使用するときは、留め具（５）を使って図３の様にソファーの脚に巻きつけ、図４のように置きたい位置を決め、（２）のベルトで長さを調節して取り付ける。（３），（４）の留め具はつながった状態で、安全ベルト、または、安全ベルト付きのクッションが、後から前に垂れ下がった状態で、固定して、赤ちゃんを座らせ使用する。また請求項１の場合は斜めに延びてくる（２）のベルトを真っ直ぐにするため、ベルトを平行に通せるようになっている（７）を付ける。
また請求項１を椅子に取り付ける場合は（３），（４）の留め具を取り外して図１１の様に、（６）のマジックテープ付きのベルトを椅子の背もたれ部に巻きつけた椅子ベルトとして、また請求項２の安全ベルト付きクッションの場合は、図９、図１０の様に（６）のマジックテープ付きのベルトを、椅子の背もたれ部に巻き付けると伴に、今度は（５）の留め具を（９）のクッション裏側にある（８）の留め具と合わせる事で、椅子に取り付ける事が出来るので、ソファー椅子両方での取り付けが出来る。
【０００５】
【発明の実施の形態】
請求項１、請求項２同様ソファーの脚に（５）の留め具を使って（２）のベルトを付け、（１）の安全ベルト、または安全ベルト付きのクッションがソファーの後から前に垂れ下がる状態で固定する。請求項１の場合は（３）と（４）の留め具を外して（６）のマジッツクテープ付きベルトで椅子に取り付ける安全ベルトとしても使用出来るようにする。
また請求項２の場合は（６）のマジッツクテープ付きベルトで椅子の背もたれ部に巻き付けると伴に（２）のベルトを調節し留め具（５）と（８）を合わせる事で椅子にも取り付ける事が出来る安全ベルト付きのクッションとなる。
以上のような構造でソファーまたは椅子で使用する事が出来る赤ちゃん用の安全ベルト、または安全ベルト付きのクッションとして、赤ちゃんをソファー、椅子両方で、転落の危険なく座らせておく事が出来る。
【０００６】
【発明の効果】
赤ちゃんを、ソファーで安全に座らせる事が出来るようになった。お座りの時期からソファーで使用でき、そのまま椅子に座らせておくには不安定な頃まで長く使用する事が出来るので便利である。
【図面の簡単な説明】
【図１】
本発明請求項１の安全ベルト全体を示す平面図である。
【図２】
本発明請求項２の安全ベルト付きクッション全体を示す斜視図である。
【図３】
ソファー脚部への取り付け方の図である
【図４】。
ソファー背面部にベルトを付けた取り付け方の図である。
【図５】
請求項１をソファーに取り付けた正面から見た図である。
【図６】
請求項１をソファーに取り付けた側面から見た図である。
【図７】
請求項２をソファーに取り付けた正面から見た図である。
【図８】
請求項２をソファーに取り付けた側面から見た図である。
【図９】
請求項１を椅子ベルトとして使用した使用状態を示す図である。
【符号の説明】
１    安全ベルト
２    長さ調節のできるベルト
３    留め具
４    留め具（受け部）
５    留め具
６    留め具（受け部）
７    ２のベルトを平行に通せるようした物
８    留め具（受け部）
９    クッション
１０  ソファー
１１  ソファー脚部
１２  椅子
【図１】
2004267700.tif 000003
【図２】
2004267700.tif 000004
【図３】
2004267700.tif 000005
【図４】
2004267700.tif 000006
【図５】
2004267700.tif 000007
【図６】
2004267700.tif 000008
【図７】
2004267700.tif 000009
【図８】
2004267700.tif 000010
【図９】
2004267700.tif 000011
【図１０】
2004267700.tif 000012
【図１１】
2004267700.tif 000013
【手続補正書】
【提出日】平成15年6月3日(2003.6.3)
【手続補正２】
【補正対象書類名】明細書
【補正対象項目名】図面の簡単な説明
【補正方法】変更
【補正の内容】
【図面の簡単な説明】
【図１】本発明請求項１の安全ベルト全体を示す平面図である。
【図２】本発明請求項２の安全ベルト付きクッション全体を示す斜視図である。
【図３】ソファー脚部への取り付け方の図である。
【図４】ソファー背面部にベルトを付けた取り付け方の図である。
【図５】請求項１をソファーに取り付けた正面から見た図である。
【図６】請求項１をソファーに取り付けた側面から見た図である。
【図７】請求項２をソファーに取り付けた正面から見た図である。
【図８】請求項２をソファーに取り付けた側面から見た図である。
【図９】請求項１を椅子に取り付けた正面から見た図である。
【図１０】請求項１を椅子に取り付けた側面から見た図である。
【図１１】請求項１を椅子ベルトとして使用した使用状態を示す図である。
【符号の説明】
１      安全ベルト
２      長さ調節のできるベルト
３      留め具
４      留め具（受け部）
５      留め具
６      留め具（受け部）
７      ２のベルトを平行に通せるようにした物
８      留め具（受け部）
９      クッション
１０    ソファー
１１    ソファー脚部
１２    椅子